(57)【特許請求の範囲】
【請求項１】
ライン用の取り付けシステムであって、
支持構造体上に固定可能なベース体（１）と、
前記ベース体（１）の上側の終端部として、該ベース体（１）に連結されるカバー部（７）と、
前記ベース体（１）に可動に配置された受容要素（９）と、を備え、
前記ベース体（１）は、
その下側に設けられた底部（３）と、
１以上のライン用の受容空間（２３）の各々を形成するために、前記底部（３）の反対側に位置する上端部に向かって開口する、少なくとも１つのラインブッシュ（５）と、
前記受容空間（２３）に面する前記ラインブッシュ（５）の内面から内方へ凹むように形成され、前記底部（３）に直交する方向に沿って延びるガイド溝（１５）と、を有し、
前記カバー部（７）によって、少なくとも１つの前記ラインブッシュ（５）は、上端部において閉鎖され、
前記受容要素（９）は、
前記底部（３）に直交する方向に沿って延び、前記ガイド溝（１５）内に摺動可能に受容されるガイド片（１３）と、
前記ガイド片（１３）に固定され、前記受容空間（２３）を画定する支持プレート（１１）と、を有し、
前記ガイド溝（１５）によって案内されて、前記底部（３）に対して接近および離反する方向へ移動可能であり、
前記受容要素（９）を前記底部（３）から離反する方向へ付勢する少なくとも１つのバネ装置（２７）が設けられ、
前記１以上のラインは、前記支持プレート（１１）と前記カバー部（７）との間で挟持されて、それぞれの前記受容空間（２３）内に固定される、取り付けシステム。
【請求項２】
前記バネ装置（２７）は、前記底部（３）の上に配置される、請求項１に記載の取り付けシステム。
【請求項３】
前記カバー部（７）と前記支持プレート（１１）との間に配置され、前記１以上のラインと接触する接触面（２９）を有する、可動の圧力体（４１）をさらに備え、
前記圧力体（４１）は、少なくとも１つの圧縮バネ（４３）によって、前記底部（３）へ向かう方向へ予め付勢される、請求項１または２に記載の取り付けシステム。
【請求項４】
前記圧力体（４１）の各々は、１つのバネハウジング（５１）において、ガイド（５３）内で移動することができ、
前記ガイド（５３）は、それぞれの前記受容空間（２３）への方向におけるバネ経路を規定可能とする、請求項３に記載の取り付けシステム。
【請求項５】
前記圧力体（４１）の各々は、バネ組立体によって予め付勢され、
前記バネ組立体は、複数の圧縮バネ（４３）から構成され、前記バネハウジング（５１）に配置される、請求項４に記載の取り付けシステム。
【請求項６】
前記バネ装置（２７）は、前記底部（３）と前記受容要素（９）との間に配置された圧縮バネ（２７）を含む、請求項１〜５のいずれか１項に記載の取り付けシステム。
【請求項７】
前記ベース体（１）は、１つの長手方向軸に沿って、複数のラインブッシュ（５）を形成し、
前記支持プレート（１１）は、前記長手方向軸に沿って延在し、
前記支持プレート（１１）の端部（２１）は、それぞれの前記受容空間（２３）を画定する前記カバー部（７）に面する、請求項１〜６のいずれか１項に記載の取り付けシステム。
【請求項８】
前記ガイド溝（１５）において、凹みがロック端部（１９）を形成し、
前記ロック端部（１９）は、対応する前記ガイド片（１３）に設けられたキャッチ突部（１７）と相互作用して、前記受容要素（９）が前記ベース体（１）から外れてしまうのを防止する、請求項１〜７のいずれか１項に記載の取り付けシステム。
【請求項９】
前記ベース体（１）は、前記ラインブッシュ（５）の側方において、柱体（３１）を形成し、
前記柱体（３１）は、前記底部（３）から前記ラインブッシュ（５）の開口まで延び、
前記柱体（３１）上において、前記受容要素（９）の前記ガイド片（１３）のために、前記ガイド溝（１５）が形成される、請求項１〜８のいずれか１項に記載の取り付けシステム。
【請求項１０】
前記ベース体（１）の前記柱体（３１）において、貫通孔（３３）が設けられ、
前記貫通孔（３３）に対して、前記カバー部（７）に設けられた孔（３５）が、螺子止めによる連結をもたらすために配設される、請求項９に記載の取り付けシステム。
【請求項１１】
前記ベース体（１）の前記底部（３）上、および、前記底部（３）の反対側に位置する、前記カバー部（７）の外側部上の積層構造を有する装置用に、複数の整列手段（３７、３９）が設けられ、
前記整列手段（３７、３９）は、互いに係合可能である、請求項１〜１０のいずれか１項に記載の取り付けシステム。
【請求項１２】
ライン用の取り付けシステムであって、
支持構造体上に固定可能なベース体（１）であって、その下側に設けられた底部（３）と、少なくとも１つのラインブッシュ（５）と、を有し、該ラインブッシュ（５）は、１以上のライン用の受容空間（２３）の各々を形成するために、前記底部（３）の反対側に位置する上端部に向かって開口する、ベース体（１）と、
前記ベース体（１）の上側の終端部として、該ベース体（１）に連結されるカバー部（７）であって、該カバー部（７）によって、少なくとも１つの前記ラインブッシュ（５）は上端部において閉鎖される、カバー部（７）と、
前記カバー部（７）に面するように前記ベース体に係留されたバネハウジング（５１）と、
前記受容空間（２３）に面するように前記バネハウジング（５１）に可動に取り付けられ、前記１以上のラインと接触する接触面（２９）を有する、圧力体（４１）と、
前記バネハウジング（５１）内に配置され、前記圧力体（４１）を前記底部（３）へ向かう方向へ付勢する少なくとも１つのバネ装置（４３）であって、該バネ装置（４３）によって、前記１以上のラインは、前記圧力体（４１）と前記ベース体（１）との間で挟持されて、それぞれの前記受容空間（２３）内に固定される、少なくとも１つのバネ装置（４３）と、を備える、取り付けシステム。
【請求項１３】
前記バネハウジング（５１）は、前記ベース体（１）に形成されたベース突部（６５）と係合可能なバネハウジング突部（６３）を有し、
前記ベース突部（６５）と前記バネハウジング突部（６３）とが係合することによって、前記バネハウジング（５１）が前記ベース体（１）から脱落するのが防止される、請求項１２に記載の取り付けシステム。
【請求項１４】
前記圧力体（４１）は、
前記バネハウジング（５１）へ向かって延出するガイド片（５５）と、
該ガイド片（５５）の先端に形成され、該ガイド片（５５）から外方へ突出する圧力体突部（５７）と、を有し、
前記バネハウジング（５１）は、前記圧力体突部（５７）を移動可能に受容し、前記圧力体（４１）の移動を案内するガイド（５３）を内面に有する、請求項１２または１３に記載の取り付けシステム。
【発明の詳細な説明】
【技術分野】
【０００１】
本発明は、ライン用（特に、風力タービンのケーブル用）の取り付けシステムに関する。この取り付けシステムは、支持構造体上に固定可能なベース体と、カバー部とを備える。ベース体は、その下側部上において、底部と、少なくとも１つのラインブッシュとを有する。ラインブッシュは、１以上のライン用の受容空間の各々を形成するために、底部の反対側に位置する上端部に向かって開口する。カバー部は、ベース体の上側の終端部として、該ベース体に連結可能であって、このカバー部によって、少なくとも１つのラインブッシュを、上端部にて閉鎖することができる。
【背景技術】
【０００２】
風力タービンにて生成されたエネルギーを供給するため、および（例えば、制御、監視等といった）他の動作の目的のために、タワーセグメントに取り付けられるべきラインが、必要となる。これらラインは、主にケーブルであり、直流電流のシステムであるか、または交流電流のシステムであるかによって、異なるシステムが可能である。したがって、交流電流のシステムにおいては、ケーブルは、しばしば、（ＲＳＴ相によれば）３本を束ねた束として、取り付けられる。その一方で、直流電流のシステムにおいては、個々のケーブルが敷設される。ケーブルの敷設は、一般的には、複数の取り付け層にて行われる。ケーブルの外径公差は、ケーブルが敷設されるときに、課題となってしまう。束ねられたケーブルを平行に配線する場合においては、上記課題は、取り付けシステムに引張をもたらしてしまう。互いの上端部上に取り付ける場合においては、上記課題は、システムの部材の捩じれ状態をもたらしてしまう。これに対処するために、従来技術においては、イコライザリングが用いられている。このイコライザリングは、特に、設置が複雑であり、且つ、時間が掛かってしまうことから、種々の点において、不利である。
【０００３】
上述したタイプの取り付けシステムは、例えばＥＰ０６８１１３３Ａ２号公報から、公知となっている。公知の取り付けシステムは、パイプクランプとして構成されており、該パイプクランプは、１本のライン用の受容空間を有する。このラインは、上側のクランプ部と、下側のクランプ部に形成された、半球状の断面を有する半空間によって、同時に固定される。２つのクランプ部は、関節を含む態様で、互いに連結され、キャッチ部によって、互いに強固に連結され得る。公知の取り付けシステムにおいては、上側のクランプ部に形成されたキャビティーによってクランプ内に配置されたラインに対して、所定の接触圧力の力が、加えられる。公知の手段においては、異なる断面寸法および断面形状のラインの適用性に関して、改善の余地がある。
【発明の概要】
【発明が解決しようとする課題】
【０００４】
この課題に関して、本発明の目的は、各受容空間に配置された１以上のラインを、異なるライン断面である場合においても、容易且つ確実に固定可能とするとともに、設置が特に容易である特徴をさらに備える取り付けシステムを利用可能とすることである。
【課題を解決するための手段】
【０００５】
本発明によれば、この目的は、全体として、請求項１において規定された特徴を備えた固定システムによって、達成される。したがって、本発明の本質的特徴は、以下にある。すなわち、少なくとも１つのバネ装置が設けられ、該バネ装置は、それぞれの受容空間内のラインのうちの少なくとも１つと接する接触面に対してバネ力を与える。これにより、１以上のラインは、予圧が掛けられた状態で、それぞれの受容空間内に固定される。
【０００６】
本発明の有利な実施形態に係る取り付けシステムは、従属請求項の主題となっている。
【０００７】
好ましい一実施形態において、ベース体の対応するラインブッシュ内に、受容要素が設けられ、該受容要素は、１以上のラインを固定すべく構成された受容空間を形成する。したがって、ベース体にケーブルを敷設するために、受容要素が使用され、受容要素の受容空間は、例えば、１本のケーブル、２本のケーブルのグループ、３本のケーブルのグループ、または、フィラーケーブルを収容するために形成されることによって、ケーブルの要求に適合される。バネによって支持されたライン固定と組み合わせて、種々のラインまたはケーブルの束のために、直径公差に関係なく、カバー部とベース体との、平坦な、歪みのない接触が、このようにして保証される。なお、バネによって支持されたライン固定は、受容要素とカバー部の接触面との間に、与えられた予圧に起因する。
【０００８】
他の利点は、以下である。すなわち、種々のケーブル、またはケーブル束の取り付けのために、類似のベース体を用いることができる。要求に適応して構成された受容要素を、ベース体内に挿入することによって、取り付けシステムを、カスタマイズされた基礎に基づいて、予め作製することができる。
【０００９】
特に有利には、装置は以下のように作製される。すなわち、受容要素の各々は、ベース体において移動可能となるように支持され、且つ、カバー部に対して移動するために、バネ力によって、予め付勢される。
【００１０】
好ましくは、ベース体は、１つの長手方向軸に沿って、複数のラインブッシュを形成する。受容要素は、長手方向軸に沿って延在する支持プレートを有し、支持プレートの端部は、受容空間を画定するカバー部に面する。ここで、支持プレートの端部は、凹みを形成し、該凹みの形状および深さは、収容されるべきケーブルまたは束に適合される。
【００１１】
特に有利な例示的実施形態においては、ベース体は、ラインブッシュの下方にて延在する底部を有し、底部と受容要素との間には、圧縮バネが取り付けられ、該圧縮バネは、受容要素をカバー部に対して、予め付勢する。
【００１２】
ベース体の受容要素の構成に関して、有利には、この受容要素は、以下のように構成される。すなわち、受容要素は、支持プレートの両側部上において、ガイド片を有する。このガイド片は、ガイド溝内において可動に案内され、該ガイド溝は、ベース体において、ラインブッシュの側方を、底部に直交するように延在する。
【００１３】
上記ガイド溝において、特に有利には、凹みがロック端部を形成し、該ロック端部は、対応するガイド片に設けられたキャッチ突部と相互作用して、受容要素がベース体から外れてしまうのを防止する。ベース体における受容要素の捕捉装置によって、事前の作製および設置を容易とする。
【００１４】
有利な一例示的実施形態においては、ベース体は、ラインブッシュの側方において、柱体を形成し、該柱体は、底部からラインブッシュの開口まで延びる。そして、この柱体上において、受容要素のガイド片のために、ガイド溝が形成される。
【００１５】
ここで、装置は、以下のように構成される。すなわち、ベース体の柱体において、貫通孔が設けられ、該貫通孔に対して、カバー部に設けられた孔が、螺子止めによる連結をもたらすために配設される。
【００１６】
ベース体の底部上、および、接触面の反対側に位置する、カバー部の外側部上の積層構造を有する装置のために、複数の整列手段が設けられてもよい。これら整列手段は、互いに係合可能となっており、これにより、対応するユニットを、互いに平坦となるように、互いの上端部上に、容易に配置することができる。
【００１７】
特に有利な例示的実施形態においては、ベース体から受容要素をバネにより支持することに加えて（または、代替として）、カバー部の側にバネによる支持を設けてもよい。ここでは、カバー部との接触面は、可動の圧縮体によって形成される。この圧縮体は、ベース体に配置された、対応する受容要素の受容空間の方向に、バネ力によって予め付勢されている。これにより、有利には、固定されるべきケーブルまたはケーブル束の形状および／または寸法の、より大きな公差を補償することが可能となる。
【図面の簡単な説明】
【００１８】
【図１】一例示的実施形態に係る取り付けシステムの長手方向の断面図を示す。
【図２】例示的実施形態に係るベース体のみの前面図を示しており、図１よりも縮小して示している。
【図３】例示的実施形態に係るカバー部のみの斜視図を示す。
【図４】異なるケーブルのアプリケーションに適合された、例示的実施形態に係る受容要素の前面図を示す。
【図５】例示的実施形態に係るベース体の一部を切り取った、拡大斜視図を示す。
【図６】図５のベース体の長手方向の部分断面図を示す。
【図７】例示的実施形態が積層構造として示されている場合の前面図である。
【図８】例示的実施形態の一変形例に係る取り付けシステムの一部を切り取った、長手方向の断面図であって、図１よりも拡大して示している。
【図９】他の例示的実施形態の一部を切り取った前面図であって、図８よりも拡大して示している。
【図１０】他の例示的実施形態用の、バネによって付勢された圧力体を含むバネハウジングを、比較としてさらに拡大して示した開放斜視図である。
【発明を実施するための形態】
【００１９】
以下、本発明について、図面に示された例示的実施形態を用いて詳細に説明する。
【００２０】
図１〜図７を用いて、第１の例示的実施形態に係る取り付けシステムについて、以下に説明する。図示された例において、ベース体１は、図２に個別に示されており、ストリップ状、またはビーム状の本体を形成している。ベース体１は、その下側部において、閉じられた底部３を形成するとともに、ラインブッシュ５を形成する。ラインブッシュ５は、ベース体１の長手方向軸に沿って、一定の間隔で配置されており、底部３の反対側に位置する上端部に向かって開口している。図示された例示的実施形態においては、３つのラインブッシュ５が、設けられている。図３は、カバー部７を個別に示している。カバー部７は、ベース体１の上側の終端部として、ベース体１に螺子止めされ得る。なお、螺子止めによる連結に関しては、図示していない。ラインブッシュ５は、図５および図６に詳細に示されているように、以下のように形成されている。すなわち、１つの受容要素９が、それぞれのラインブッシュ５内に、同時に挿入され得る。図４のＡ〜Ｄは、受容要素９の例を示しており、これら受容要素９は、それぞれの要求に応じて構成されている。図４のＡは、ブラインドプラグのための形状を示し、図４のＢは、比較的に大きな断面を有する個々のケーブルのための形状を示し、図４のＣは、２つの個別のケーブルのための形状を示し、図４のＤは、３本のケーブルを含む束のための形状を示している。それぞれのケーブルを支持するための受容要素９は、支持プレート１１を形成する。支持プレート１１は、長手方向軸に沿って延び、その両側部において、ガイド片１３に連結されている。ガイド片１３は、ガイド溝１５内に押入され得る。ガイド溝１５は、図５および図６に示すように、ラインブッシュ５内において、ベース体１に形成されている。ガイド片１３は、その端部上に、キャッチ突部１７を有する。キャッチ突部１７は、ベース体１内に押入した後に、ガイド溝１５に設けられたロック端部１９（図６を参照）と相互作用して、受容要素９がベース体１から外れてしまうのを防止する。これにより、受容要素９は、係留される。
【００２１】
図４のＡ〜Ｄに明確に示されているように、受容要素９の支持プレート１１の上端部（すなわち、端部２１）は、ベース体１内に挿入された状態において、カバー部７に面しており、それぞれの受容空間２３（図４のＢ〜Ｄ）の境界を画定している。支持プレート１１において、程度の差はあるが、大きいまたは深い凹みが形成されている。この凹みは、図４のＤの例においては、３本からなる束を保持するために、略Ｖ字状の断面を有している。各ラインブッシュ５の中央領域において、ベース体１は、底部３上に、圧縮バネ２７用の座部２５（図５および図６）を形成する。圧縮バネ２７は、対応する受容要素９の支持プレート１１の底部上に支持され、支持プレート１１を、ガイド溝１５に沿って、カバー部７に対して移動させるために、該支持プレート１１を予め付勢する。図１に示すように、このような方法で、受容要素９の受容空間２３内に配置されたケーブルは、カバー部７の接触面２９に対して、押圧される。なお、カバー部７は、ベース体１に螺子止めされている。
【００２２】
カバー部７とベース体１を螺子止めによって連結するために、ベース体１は、ラインブッシュ５の側方において、柱体３１を有する。柱体３１は、ラインブッシュ５に面する側において、ガイド溝１５を形成するとともに、貫通孔３３を含む。この貫通孔３３に対して、対応する孔３５が、螺子止め連結を形成するために、カバー部７に配設されている。設置の間にベース体１とカバー部７とを正確に整列させるために、特に図７に示すような積層構造において、整列手段が設けられる。図示された例においては、これら整列手段は、突出するガイド突部３７と、レシーバである。ガイド突部３７は、ベース体１上において、貫通孔３３と同心となるように突出している。レシーバは、突部３７用にカバー部７上に設けられており、カバー部７の孔３５の拡張部３９として、形成されている。
【００２３】
図８に示す例示的実施形態の変形例は、第１の例示的実施形態と、カバー部７の異なる構造においてのみ、相違している。第１の例示的実施形態と異なって、ラインブッシュ５に配置されたコンポーネントは、ベース体１の底部３のバネ支持のみならず、カバー部７からのバネ支持によって、固定されている。この目的のために、カバー部７上において、可動の圧力体４１が設けられている。圧力体４１は、接触面２９を形成し、ラインブッシュ５の受容空間２３の内部に対する移動のために、圧縮バネ４３によって予め付勢されている。底部３からのバネ支持を、カバー部７からのバネ支持に置き換えてもよい。
【００２４】
底部３からのバネ支持を、カバー部７からのバネ支持に置換する例は、図９および図１０に示す他の例示的実施形態の場合に相当し、この実施形態においては、ベース体１上の底部３からバネによって付勢された、可動の受容要素９が、設けられていない。その代わりに、ベース体１自体が、端部２１によって画定された受容空間２３を形成している。底部３からのバネ作用がない代わりに、図９および図１０に示す例においては、上端のカバー部７から負荷されるバネ力は、個々のバネ４３の代わりに、１つのバネ組立体を設けることによって、強化されている。バネ組立体は、互いに隣り合うように配置された、複数の圧縮バネ４３から構成されており、バネハウジング内に配置されている。なお、バネハウジングは、図１０において、全体として、符号５１として示されている。バネハウジングは、ガイド路５３を有し、ガイド路５３において、ガイド片５５が、持ち上げ経路にてガイドされる。ここで、ガイド片５５は、圧力体４１の角部領域において、バネハウジング５１内に延びている。また、持ち上げ経路は、比較的に長いバネ経路に相当し、このバネ経路は、付勢されている圧力体４１がバネハウジング５１から露出してしまうのを防止するために、ストップ突部５７および５９によって画定される。図９に最も明確に示されているように、バネハウジング５１の角部領域上に、キャッチ突部６３を含むロック片６１が、設けられている。キャッチ突部６３は、ベース体１上のキャッチ突部６５と相互作用して、バネハウジング５１をベース体１上に係留する。これにより、カバー部７が取り付けられていない状態で、ケーブルを受容空間２３内に挿入することができる。そして、バネハウジング５１を取り付けることによって、カバー部が取り付けられる前に、ケーブルが脱落してしまうのを防止することができる。
【図１】
0005848346.tif 000002
【図２】
0005848346.tif 000003
【図３】
0005848346.tif 000004
【図４】
0005848346.tif 000005
【図５】
0005848346.tif 000006
【図６】
0005848346.tif 000007
【図７】
0005848346.tif 000008
【図８】
0005848346.tif 000009
【図９】
0005848346.tif 000010
【図１０】
0005848346.tif 000011